(57)【特許請求の範囲】
【請求項１】
第１の方向に延びる形で設けられて、内容物流入用の管が取り付けられる上流側通路部分と、
前記第１の方向と直交状態の第２の方向に延びる形で前記上流側通路部分に続く下流側に設けられて、内容物に対する弁機能を持つステムの移動域および内容物の通路域として作用する有底の内部空間と、
前記上流側通路部分の出口側の、内容物の流れがそれまでの前記第１の方向から前記第２の方向への変化に基づいて乱流状態となる変化域に、設けられた異物フィルタと、
を備えたことを特徴とする内容物放出用ハウジング。
【請求項２】
前記内部空間は、
前記上流側通路部分の出口側より上側の開口側空間域と、当該出口側より下側の底側空間域とからなっている、
ことを特徴とする請求項１記載の内容物放出用ハウジング。
【請求項３】
第１の方向に延びる形で設けられて、内容物流入用の管が取り付けられる上流側通路部分と、
前記第１の方向と直交状態の第２の方向に延びる形で前記上流側通路部分に続く下流側に設けられて、内容物に対する弁機能を持つステムの移動域および内容物の通路域として作用する筒状ハウジングが取り付けられる、有底の内部空間と、
前記上流側通路部分の出口側の、前記筒状ハウジングが取り付けられた状態において内容物の流れがそれまでの前記第１の方向から前記第２の方向への変化に基づいて乱流状態となる変化域に、設けられた異物フィルタと、
を備えたことを特徴とするハウジング用アタッチメント。
【発明の詳細な説明】
【０００１】
【発明の属する技術分野】
本発明は、内容物放出用ハウジングに関し、特に、容器内容物の流入部から内部空間にいたる通路部で内容物の流れ方向が変化することに着目して、この変化域部分に異物フィルタを設けた内容物放出用ハウジング関する。
【０００２】
また、ハウジング用アタッチメントに関し、特に、ハウジングの内部空間への流入部とは異なる流れ方向が生じるような流入部を新たに設定するハウジング用アタッチメント、およびその内容物流れ方向の変化域部分に異物フィルタを設けたハウジング用アタッチメントに関する。
【０００３】
【従来の技術】
容器内容物中の異物がハウジングの貯留空間に入り込むと、ステムの放出操作が円滑に行われなかったり、放出用孔部を閉塞して内容物が外部空間に放出されないことがある。
【０００４】
そのため、従前より、
・吸上管に異物侵入防止用のフィルタを取り付ける、
・ハウジングの貯留空間への入口部分に、異物侵入防止用のフィルタを取り付ける、
などの異物侵入防止策を講じている。
【０００５】
一方、ハウジング自体の構造形式としては、内容物の流入部を、
・ハウジング本体のいわば底面側に設けたストレートタイプ
・ハウジング本体のいわば側面側に設けたＬ字状タイプ
などがある。
【０００６】
Ｌ字状タイプのハウジングは、その流入部に取り付けた吸上管のからまり現象が容器の倒立使用の場合にも発生しにくいため、正倒立使用を前提とした容器で用いられることが多い。
【０００７】
【発明が解決しようとする課題】
このように、従来の異物侵入防止の手法は、ハウジングにおける内容物の流路のいわば任意の部分にフィルタを単に設けることであり、当該流路における内容物の流れの状態（層流，乱流など）までを考慮したものではない。
【０００８】
そのため、特に小さな異物をフィルタで捕獲することが難しく、異物の除去効率の点で不満が残るものであった。
【０００９】
また、ストレートタイプのハウジングとＬ字状タイプのハウジングとではそれぞれの使用対象（例えば正倒立使用の容器かどうか）が自ずと区別されており、ストレートタイプのハウジングをＬ字状タイプに転用することもなかった。
【００１０】
そこで、本発明では、Ｌ字状タイプの内容物流路の場合、内容物の流れ方向が例えば９０°ほど変化する空間域では当該内容物中の異物がいわば絡まりあって大きくなることに着目し、この変化部分にフィルタを設けることによって効率よく異物を捕獲することを目的とする。
【００１１】
また、例えばストレートタイプのハウジングをＬ字状タイプに転用させるためのアタッチメントを提供し、これによりハウジングの有効利用を図ることを目的とする。
【００１２】
本発明は、以上の課題を次のようにして解決する。
（１）第１の方向（例えば図１の左右方向）に延びる形で設けられて、内容物流入用の管（例えば後述の吸上管１４）が取り付けられる上流側通路部分（例えば後述の通路１０ｄ）と、
前記第１の方向と直交状態の第２の方向（例えば図１の上下方向）に延びる形で前記上流側通路部分に続く下流側に設けられて、内容物に対する弁機能を持つステム（例えば後述のステム１１）の移動域および内容物の通路域として作用する有底の内部空間（例えば後述の貯留空間１０ｉ）と、
前記上流側通路部分の出口側の、内容物の流れがそれまでの前記第１の方向から前記第２の方向への変化に基づいて乱流状態となる変化域（例えば後述の変化域１０ｅ）に、設けられた異物フィルタ（例えば後述の異物フィルタ１０ｆ）と、
を備えた形の内容物放出用ハウジングを用いる。
（２）上記（１）において、
前記内部空間を、
前記上流側通路部分の出口側より上側の開口側空間域と、当該出口側より下側の底側空間域とからなるものとする。
（３）第１の方向（例えば図３の左右方向）に延びる形で設けられて、内容物流入用の管（例えば後述の吸上管１４）が取り付けられる上流側通路部分（例えば後述の通路２０ｇ）と、
前記第１の方向と直交状態の第２の方向（例えば図３の上下方向）に延びる形で前記上流側通路部分に続く下流側に設けられて、内容物に対する弁機能を持つステム（例えば後述のステム１１）の移動域および内容物の通路域として作用する筒状ハウジング（例えば後述のハウジング３０）が取り付けられる、有底の内部空間と、
前記上流側通路部分の出口側の、前記筒状ハウジングが取り付けられた状態において内容物の流れがそれまでの前記第１の方向から前記第２の方向への変化に基づいて乱流状態となる変化域（例えば後述の変化域２０ｈ）に、設けられた異物フィルタ（例えば後述の異物フィルタ２０ｉ）と、
を備えた形のハウジング用アタッチメントを用いる。
【００１３】
本発明によれば、内容物の流れが、それまでの前記第１の方向から前記第２の方向への変化に基づいて乱流状態となる変化域部分に、異物フィルタを設けている。この乱流状態では内容物中の異物はまとまって絡んだ形になりやすいため、例えば当該フィルタ自体の最小キャッチ単位よりも小さなサイズの異物も当該フィルタで効率的に捕獲することができる。
【００１４】
また、内容物通過用のハウジング用アタッチメントを、それが（内容物に対する弁機能を持つステムの移動域および内容物の通路域として作用する）筒状ハウジングに取り付けられた場合に上記乱流状態となる変化域部分に異物フィルタを設けた態様のものとしてしるので、例えばストレートタイプのハウジングを効率的な異物除去機能付きのＬ字状タイプのハウジングに変換することができる。
【００１５】
【発明の実施の形態】
本発明の実施の形態を図１乃至図４を用いて説明する。
【００１６】
ここで、
図１は、内容物の流れ方向の変化域に異物フィルタを設けたＬ字状タイプのハウジングを示す説明図であり、（ａ）は全体図，（ｂ）は内容物の流れを示す部分拡大図を示し、
図２は、内容物の流れ方向の変化域に異物フィルタを設けたハウジング用アタッチメントを示す説明図であり、
図３は、ストレートタイプのハウジングにアタッチメントを取り付けた状態を示す説明図であり、
図４は、各種の異物フィルタを示す説明図である。
【００１７】
これらの図において、
１０はＬ字状タイプで正倒立用のハウジング，１０ａは垂下部，１０ｂは分岐部分，１０ｃは開口部，１０ｄは水平方向の通路，１０ｅは内容物の流れ方向が変わる変化域，１０ｆは当該変化域に設けた異物フィルタ，１０ｇは当該異物フィルタに形成した細孔，１０ｈは後述のジョイント１５と嵌合する凹部, １０ｉは貯留空間，１０ｊはリブ，
１１はステム，１１ａは孔部，１１ｂは内容物放出用通路，
１２はステムラバー，
１３はスプリング，
１４は吸上管，１４ａは当該吸上管の下流側部分, １４ｂは当該吸上管の上流側部分,
１５は吸上管１４の下流側部分１４ａをハウジング１０の分岐部分１０ａに固定するためのジョイント, １５ａは鍔部, １５ｂは凸部,
１６は重り，
１７は重り１６を保持するホルダ，１７ａは突状部，１７ｂは当該ホルダの底部に形成された膨出部, １７ｃは内容物の流入口, １７ｄは吸上管差込部，１７ｅは後述のジョイント１８と嵌合する凹部, １７ｆは段部,
１８は吸上管１４の上流側部分１４ｂにホルダ１７（重り１６）を固定するためのジョイント, １８ａは鍔部, １８ｂは凸部,
１９は容器，
２０は後述の正立用ハウジング３０を正倒立用にするためのアタッチメント，２０ａは本体部，２０ｂは上部開口部，２０ｃは正立用ハウジング３０を挟持する突状部，２０ｄは内容物の通路部，２０ｅは分岐部分, ２０ｆは当該分岐部分の開口部，２０ｇは水平方向の通路，２０ｈは内容物の流れ方向が変わる変化域，２０ｉは当該変化域に設けた異物フィルタ，２０ｊは当該異物フィルタの細孔，２０ｋは後述のジョイント２１と嵌合する凹部,
２１は吸上管１４をアタッチメント２０の分岐部分２０ｅに取付けるためのジョイント, ２１ａは鍔部, ２１ｂは凸部,
３０はストレートタイプで正立用のハウジング，３０ａは垂下部, ３０ｂは当該ハウジングの内容物流入口，３０ｃは貯留空間，３０ｄは外周面，
４０は異物フィルタ，４０ａは異物捕捉用の突起，４０ｂは内容物通過用の孔部，
４１は異物フィルタ，４１ａは内容物通過用の溝，
４２は異物フィルタ，４２ａはメッシュ，
をそれぞれ示している。
【００１８】
図１（ａ）に示すように、正倒立用のハウジング１０は垂下部１０ａから略水平方向に枝分かれした分岐部分１０ｂを有している。分岐部分１０ｂには、吸上管１４を取り付けるための開口部１０ｃや水平方向の通路１０ｄが形成され、吸上管１４の下流側部分１４ａを略水平方向に保持できる。
【００１９】
また、内容物が吸上管からハウジング１０の貯留空間１０ｉに流入するときにその流れが略水平方向から略上下方向へと変化する変化域１０ｅに異物フィルタ１０ｆを設けている。
【００２０】
一方、吸上管１４の上流側部分１４ｂには重り１６がホルダ１７によって取付けられ、容器１９を正立させた状態または倒立させた状態でも重り１６の自重によって吸上管１４の上流側部分１４ｂは内容物の中に位置する。
【００２１】
スプリング１３の付勢に抗してステム１１を押し下げた使用モードのとき、孔部１１ａが開いて、容器内容物は内容物流入口１７ｅ−重り１６とホルダ１７との間−吸上管１４−細孔１０ｇ−リブ１０ｊの間（貯留空間１０ｉ）−貯留空間１０ｉの下流側部分−ステム１１の孔部１１ａ−内容物放出用通路１１ｂを通過して外部に放出される。
【００２２】
このとき、図１（ｂ）に示すように、吸上管１４を通過した内容物の流れは変化域１０ｅ（異物フィルタ１０ｆ）でそれまでの略水平方向から上方向や下方向に変化し、その結果、流速も変化して内容物は乱流状態となる。
【００２３】
したがって内容物中の異物が絡んでまとまった状態となり、異物フィルタ１０ｆによって捕獲される。特に、層流中に混入しているときには当該フィルタの細孔を通過し易い髪の毛や糸状の細長い異物などは絡んだ状態となるので、異物フィルタ１０ｆによって捕獲され易い。
【００２４】
また、容器１９を倒立させて使用した場合にも、重り１６の自重によって吸上管１４の上流側部分１４ｂは容器内容物内に位置することができ、内容物は前述の経路を通って貯留空間１０ｉへ流入する。このときにも内容物は変化域１０ｅ（異物フィルタ１０ｆ）で流れや流速が変化して乱流状態となり、当該フィルタより小さなサイズの異物もこのフィルタ１０ｆによって捕獲される。
【００２５】
なお、ホルダ１７には膨出部１７ｂが形成されているので、内容物流入口１７ｃは容器１９の内周面に密着することがなく両者の間には隙間が形成され、内容物はこの隙間から確実にホルダ１７内に流入する。
【００２６】
図２は正立用のハウジング３０を正倒立用ハウジングに転用するためのアタッチメント２０を示している。
【００２７】
アタッチメント２０は本体部２０ａと分岐部分２０ｅからなり、本体部２０ａの内周面にはハウジング３０に保持するための突状部２０ｃや内容物の通路部２０ｄが形成されている。
【００２８】
分岐部分２０ｅには、吸上管取付用の開口部２０ｆや水平方向の通路２０ｇが形成され、内容物の流れ方向が変化する変化域２０ｈには異物フィルタ２０ｉが設けられている。
【００２９】
図３に示すように、正立用のハウジング３０にアタッチメント２０や重り１６などを取り付けて当該ハウジングを正倒立両用にした状態では、吸上管１４の、分岐部分２０ｅにつながる部分がハウジング３０に対して略水平方向に保持される。
【００３０】
したがって、容器１９を正立させた状態でも倒立させた状態でも吸上管１４の変形方向の自由度はハウジング３０のみを用いるときよりも少なく、当該吸上管がからまったり折れ曲がるといったことが生じにくいので、容器本体側の内容物をハウジング３０にスムーズに取り込むことができる。
【００３１】
また、重り１６の自重によって吸上管の上流側部分１４ｂが内容物中に位置するので、内容物を確実に取り込むことができる。
【００３２】
使用モードのとき、容器の内容物は、内容物流入口１７ｃ−重り１６とホルダと１７の間−吸上管１４−細孔２０ｊ−アタッチメント２０の通路部２０ｄを経由して流入口３０ｂからハウジング３０の貯留空間３０ｃに流入し、外部空間に放出される。
【００３３】
このとき、吸上管１４を通過した内容物の流れ方向が変化域２０ｈ（異物フィルタ２０ｉ）で略水平方向から下方へと変化し、流速も変化して内容物は乱流状態となり、前述のように異物がまとまった状態となるので、小さなサイズの異物も当該フィルタで捕獲され易い。
【００３４】
アタッチメント２０に正立用のハウジング３０を組み込んで正倒立用のハウジングを作成するときの手順は、例えば、
▲１▼アタッチメント２０の上部開口部２０ｂに正立用ハウジング３０の垂下部３０ａを図３の状態まで挿入して、アタッチメント２０の突状部２０ｃをハウジング３０の外周面３０ｄに嵌合させる。
▲２▼吸上管１４の下流側部分１４ａをジョイント２１の鍔部２１ａ側から差し込み、当該下流側部分の先端部を露出させる。
▲３▼ジョイント２１を取付けた吸上管１４の下流側部分１４ａを分岐部分２０ｅの開口部２０ｆに入れて当該先端部を異物フィルタ２０ｉに当接させるとともに、治具などを用いてジョイント２１の凸部２１ｂを分岐部分２０ｅの凹部２０ｋに嵌合させる。
▲４▼重り１６をホルダ１７に入れて突状部１７ａに保持させる。
▲５▼吸上管１４の上流側部分１４ｂをジョイント１８の鍔部１８ａ側から差し込み、当該上流側部分の先端部を露出させる。
▲６▼当該上流側部分１４ｂを吸上管差込部１７ｄに入れてその先端部をホルダ１７の段部１７ｆに当接させるとともに、治具などを用いてジョイント１８の突部１８ｂを吸上管差込部の凹部１７ｅに嵌合させる。
【００３５】
図４に示すように、本発明の異物フィルタは種々の形態をとることができ、
・異物捕捉用の突起４０ａ、および内容物通過用の孔部４０ｂをそれぞれ複数形成する、
・内容物通過用の溝４１ａを複数形成する、
・メッシュ４２ａを形成する、
ようにしてもよい。（ａ）の場合、突起同士の間に異物を捕捉する。
【００３６】
異物フィルタは、吸上管内部やハウジング内部の貯留空間などの、内容物の流れ方向が変化する部分に設けてもよい。異物フィルタをハウジング１０やアタッチメント２０と一体のものにするか別体のものにするかは任意である。
【００３７】
また、異物フィルタは、
・容器本体内部にあらかじめ内容物とともに充填してある圧縮ガスの作用により弁を開放して当該内容物を外部空間に放出するエアゾール方式
・貯留空間の入口側流入弁および出口側流出弁の作用により、容器内容物をいったん貯留空間に取り込んだ上でそれを外部空間に放出する蓄圧方式
などの各種放出方式の内容物放出機構に設けることができる。
【００３８】
さらに、
・操作時に回動するトリガーレバー形式のもの
・操作時に直線移動する押しボタン形式のもの
・操作時に傾斜するティルト形式のもの
などの各種放出操作方式の内容物放出機構に設けてもよい。
【００３９】
【発明の効果】
本発明では、このように、内容物の流れ方向が変化して乱流状態となりやすい、すなわち異物がまとまって絡んだ状態となりやすい部分に異物フィルタを設けているので、当該フィルタ自体の最小キャッチ単位よりも小さなサイズの異物も効率的に捕獲することができる。
【００４０】
また、第１の流入部を備えた例えばストレートタイプの内容物放出用ハウジングにアタッチメントを取り付けて、当該流入部の上流側に（本来の）第２の流入部を確保し、これにより例えばストレートタイプハウジングのＬ字状タイプへの転用を図っているので、既存のハウジングの有効利用を図ることができる。
【図面の簡単な説明】
【図１】本発明の、内容物の流れ方向の変化域に異物フィルタを設けたＬ字状タイプのハウジングを示す説明図であり、（ａ）は全体図，（ｂ）は内容物の流れを示す部分拡大図を示している。
【図２】本発明の、内容物の流れ方向の変化域に異物フィルタを設けたハウジング用アタッチメントを示す説明図である。
【図３】本発明の、ストレートタイプのハウジングにアタッチメントを取り付けた状態を示す説明図である。
【図４】本発明の、各種の異物フィルタを示す説明図である。
【符号の説明】
１０：Ｌ字状タイプで正倒立用のハウジング
１０ａ：垂下部
１０ｂ：分岐部分
１０ｃ：開口部
１０ｄ：水平方向の通路
１０ｅ：変化域
１０ｆ：異物フィルタ
１０ｇ：細孔
１０ｈ：凹部
１０ｉ：貯留空間
１０ｊ：リブ
１１：ステム
１１ａ：孔部
１１ｂ：内容物放出用通路
１２：ステムラバー
１３：スプリング
１４：吸上管
１４ａ：下流側部分
１４ｂ：上流側部分
１５：ジョイント
１５ａ：鍔部
１５ｂ：凸部
１６：重り
１７：ホルダ
１７ａ：突状部
１７ｂ：膨出部
１７ｃ：内容物の流入口
１７ｄ：吸上管差込部
１７ｅ：凹部
１７ｆ：段部
１８：ジョイント
１８ａ：鍔部
１８ｂ：凸部
１９：容器
２０：アタッチメント
２０ａ：本体部
２０ｂ：上部開口部
２０ｃ：突状部
２０ｄ：内容物の通路部
２０ｅ：分岐部分
２０ｆ：分岐部分の開口部
２０ｇ：水平方向の通路
２０ｈ：変化域
２０ｉ：異物フィルタ
２０ｊ：細孔
２０ｋ：凹部,
２１：ジョイント
２１ａ：鍔部
２１ｂ：凸部
３０：ストレートタイプで正立用のハウジング
３０ａ：垂下部
３０ｂ：ハウジングの内容物流入口
３０ｃ：貯留空間
３０ｄ：外周面
４０：異物フィルタ
４０ａ：異物捕捉用の突起
４０ｂ：内容物通過用の孔部
４１：異物フィルタ
４１ａ：内容物通過用の溝
４２：異物フィルタ
４２ａ：メッシュ
【図１】
0003986827.tif 000002
【図２】
0003986827.tif 000003
【図３】
0003986827.tif 000004
【図４】
0003986827.tif 000005